(57)【要約】 【課題】  色ムラが無く様々な発光色を照射することができる車両用表示灯を提供する。【解決手段】  台座３の周囲を覆うようにして透光性で乳白色の部分を有するカバー体２が設置され、台座３の上部には、３色発光ダイオード７を点灯するための点灯回路の構成部品４と、これを覆うように上部にプリント基板５を配置したアングル体６と、プリント基板５上には図示しない回路パターンによって接続された３個の３色発光ダイオード７とが設けられている。３個の３色発光ダイオード７を同時に同色で点灯させることで、色ムラを防止するとともに、様々な色の照射光をカバー体２の乳白色の部分を通して色調をほとんど変化させることなく外部へ照射する。【選択図】          図３
0003108260.tif 000002
【実用新案登録請求の範囲】
【請求項１】
車両の屋上に取りつけられる車両用表示灯において、
複数個の３色発光ダイオードと、
上部に前記複数個の３色発光ダイオードを備えた台座と、
前記台座に前記複数個の３色発光ダイオードを包容するように取り付けられた乳白色で透光性を有するカバー体と、
を備えることを特徴とする車両用表示灯。
【考案の詳細な説明】
【技術分野】
【０００１】
本考案は、例えば、タクシー等の車両の屋根に取付けられ、会社名や広告文字等を表示する車両用表示灯に関する。
【背景技術】
【０００２】
タクシーの屋根には、透光性を有するカバー体の表面に、会社名や広告を示す文字や図形等の標識が表された車両用表示灯が装着されている。このうち、会社名を示す表示灯は空車走行時には点灯される。そのため、タクシー利用者は空車のタクシーを夜間でも見つけることができる。従来の表示灯では、点灯させるために、電球や蛍光ランプを内部に設置している。特許文献１には、この種の車両用表示灯の一例が開示されている。
【０００３】
この表示灯は、一般に合成樹脂性のカバー体の内部に電球や蛍光ランプ等の光源を備えたものであり、このカバー体の表面に落ちにくい着色塗料を使って会社の社名や、会社のマーク、あるいは広告文字等が描かれている。この着色塗料の色は、様々な色が使われており、会社特有の色が使用されている。あるいは、カバー体全体が、青や黄などに着色されているものもある。したがって、カバー体内部に設置された光源が発光することによって、カバー体に着色された色の光が外部へ照射されるようになっている。
【０００４】
一方、従来から、カバー体より照射される発光色を一種類だけでなく、複数種の色を発光させたいという要望があった。このため、例えば、タクシージャックや車両故障等の緊急事態には、内部に赤色に着色した電球を設置して赤色を点灯させるようにしていた。また、赤以外に着色した電球や蛍光ランプの互いに異なった着色を施した光源を設置することにより、数種類の発色光を照射することができ、時と場合に応じて異なった色の発光色を使用していた。
【特許文献１】実用新案登録第３０９１１８１号公報。
【考案の開示】
【考案が解決しようとする課題】
【０００５】
ところが、前記従来の技術では以下のような問題があった。例えば、赤、青、黄の着色電球を一個ずつ設置し、一個ずつ点灯した場合には、３種の色を使用することができるが局所的に光の強い箇所と弱い箇所ができ、カバー体の外部から見た場合には、光のムラができるという問題があった。また、３色の着色電球を同時に点灯させると、３色が混じり合いあうものの、同様に局所的な色ムラができるという問題があった。一方、全体が着色されたカバー体を設置した場合、着色電球から照射された光がカバー体の色によって変化し、着色電球独自の色が外部にそのまま表現されないという問題があった。
【０００６】
そこで本考案では、色ムラが無く様々な発光色を照射することができる車両用表示灯を提供することを目的とする。
【課題を解決するための手段】
【０００７】
前記目的を達成するために、本考案のうちで請求項１に記載の車両用表示灯は、
車両の屋上に取りつけられる車両用表示灯において、
複数個の３色発光ダイオードと、
上部に前記複数個の３色発光ダイオードを備えた台座と、
前記台座に前記複数個の３色発光ダイオードを包容するように取り付けられた乳白色で透光性を有するカバー体と、
を備えることを特徴とする。
【考案の効果】
【０００８】
請求項１に記載の車両用表示灯によれば、
この車両用表示灯は、複数個の３色発光ダイオードと、上部に前記複数個の３色発光ダイオードを備えた台座と、前記台座に前記複数個の３色発光ダイオードを包容するように取り付けられた乳白色で透光性を有するカバー体とを備えている。したがって、３色発光ダイオードによって様々な発光色を照射することができ、複数設置された３色ダイオードを同時に同色で発光させることができるので、局所的な色ムラを防止することができる。また、カバー体の色を乳白色としているので、外部からはカバー体内部の光源がみえないようになっていると共に、３色発光ダイオードからの照射光を、色調をほとんど変化させることなくカバー体外部へ照射させることができる。
【０００９】
以上の考案の車両用表示灯によって、色ムラが無く様々な発光色を照射することができる車両用表示灯を提供することができる。
【考案を実施するための最良の形態】
【００１０】
図１は本実施形態の車両用表示灯１を示す斜視図であり、カバー体２の正面に会社名を表示している。本実施形態では、社名の部分２ａおよび斜線を施した部分２ｂが例えば青色に着色塗装が施された部分であり透光性を有する。また、社名の部分および斜線を施した以外の部分２ｃは、乳白色で透光性を有する。本考案における実施形態の詳細について図２〜図４を用いて説明する。
【００１１】
図２は本実施形態の車両用表示灯１の正面図、図３はそのＡ−Ａ断面図、図４はカバー体２を取り除いた場合の正面図、および図５はカバー体２を取り除いた場合の平面図である。
【００１２】
前述したように、カバー体２の正面と背面（図示しない）は、例えば青色の着色塗装によって会社名２ａや斜線部２ｂが表示され透光性を有している。カバー体２の両側面、上面および正面の２ｃの部分は、透光性を有しているが乳白色であるためにカバー体２の内部は見えないようになっている。台座３の周囲を覆うようにしてカバー体２が設置され、台座３の上部には、光源である３色発光ダイオード７（以下、３色ＬＥＤとする）を点灯するための点灯回路の構成部品４と、これを覆うように上部にプリント基板５を配置したアングル体６と、プリント基板５上には図示しない回路パターンによって接続された３個の３色ＬＥＤとが設けられている。点灯回路の構成部品４から出ている電源コードは、図示しない車体側とスイッチ等を介して接続される。
【００１３】
次に本実施形態の作用および効果について説明する。カバー体２に乳白色の部分を設けることによって、３色ＬＥＤ７の消灯時には外部から内部が見えない効果がある。また、点灯時には、３個の３色ＬＥＤ７が同時に同色で点灯することによって照射される発光色は、カバー体２の乳白色の部分からは、その発光色の色調をほとんど変化させることなく外部に照射される。
【００１４】
また、この３個の３色ＬＥＤ７は、カバー体２の内側に均等に配置されているので同時に同色を点灯させると、外部からは色ムラがなく一様の発光色を見ることができる。また、この３色ＬＥＤ７によって様々な発光色を照射することが可能となる。従来通り、タクシージャックや車両故障等の緊急事態には、赤色を点灯させるたり点滅させることができる他、時と場合に応じて種々の色を照射させることができる。
【００１５】
なお、本考案は上記の実施形態に限定するものではなく、本考案の要旨を変更しない範囲で様々な応用が可能である。上記実施形態では、３個の３色ＬＥＤを設置しているがこの個数に限定するものではない。また、調光回路等を別途設けることによって、種々の調光制御を実施することも可能であり本考案の内容に属する。
【図面の簡単な説明】
【００１６】
【図１】本実施形態の車両用表示灯の斜視図である。
【図２】本実施形態の車両用表示灯の正面図である。
【図３】図２の車両用表示灯のＡ−Ａ断面図である。
【図４】本実施形態の車両用表示灯において、カバー体を取り除いた場合の正面図である。
【図５】本実施形態の車両用表示灯において、カバー体を取り除いた場合の平面図である。
【符号の説明】
【００１７】
１・・・車両用表示灯、２・・・カバー体、３・・・台座、４・・・点灯回路の構成部品、５・・・プリント基板、６・・・アングル体、７・・・３色ＬＥＤ、８・・・電源コード。
【図１】
0003108260.tif 000003
【図２】
0003108260.tif 000004
【図３】
0003108260.tif 000005
【図４】
0003108260.tif 000006
【図５】
0003108260.tif 000007